(57)【要約】【課題】従来の昇降装置の基本構成を踏襲してそれに簡易な改良を加えることのみで、稼働範囲を支障なく拡大し得る有効適切な昇降装置を提供する。【解決手段】建物の複数階にわたる高さを有する本体フレーム１を施工済みの躯体に対して盛り替え可能に支持して設置するとともに、本体フレームの設置階よりも下方の任意の階に本体フレームとは独立に盛り替え可能なサブフレーム１０を設置して、サブフレームと本体フレームの上部との間を上下方向の一連の搬送経路として確保する。被搬送物を搭載して搬送経路を昇降可能な昇降ステージ２を本体フレームの頂部に設置した昇降駆動源３により吊り支持してサブフレームと本体フレームの上部との間にわたって昇降可能に設置する。サブフレームと昇降ステージとを連結可能かつその全体を昇降駆動源によって昇降可能に構成することにより、サブフレームを昇降駆動源によって盛り替え可能とする。【選択図】図１
2014070481.tif 000002
【特許請求の範囲】
【請求項１】
建物の施工に際して各種の資機材を被搬送物として上下方向に搬送するための建設工事用の昇降装置であって、
前記建物の複数階にわたる高さを有する本体フレームを施工済みの躯体に対して盛り替え可能に支持して設置するとともに、
前記本体フレームの設置階よりも下方の任意の階に前記本体フレームとは独立に盛り替え可能なサブフレームを設置して、該サブフレームと前記本体フレームの上部との間を上下方向の一連の搬送経路として確保し、
被搬送物を搭載して前記搬送経路を昇降可能な昇降ステージを前記本体フレームの頂部に設置した昇降駆動源により吊り支持して前記サブフレームと前記本体フレームの上部との間にわたって昇降可能に設置してなることを特徴とする建設工事用の昇降装置。
【請求項２】
請求項１記載の建設工事用の昇降装置であって、
前記サブフレームと前記昇降ステージとを連結可能に構成するとともに、前記昇降駆動源によって前記昇降ステージを前記サブフレームとともに昇降可能に構成することにより、前記サブフレームを前記昇降駆動源によって盛り替え可能に構成してなることを特徴とする建設工事用の昇降装置。
【発明の詳細な説明】
【技術分野】
【０００１】
本発明は、建物の施工に際して各種の資材や機材を上下方向に搬送するために用いる建設工事用の昇降装置に関する。
【背景技術】
【０００２】
この種の昇降装置としては特許文献１に示されるものが知られており、図４にその概略構成を示す。
これは、施工途中の建物内の吹き抜け部に対して盛り替え可能に設置されるもので、この建物の複数階にわたる高さを有する本体フレーム１の内側において各種の資機材を搭載可能な昇降ステージ２を昇降駆動源３によって昇降させる形式のものであり、この昇降装置の全体を施工進捗に伴ってタワークレーン等の揚重手段（図示せず）によって順次上方に盛り替えていくようにしたものである。
図示例の昇降装置は本体フレーム１の全高が４階層分にわたる高さとされていて、その時点での最上階（図示例ではN階）から３層下の階（同、N-3階）にわたる位置に設置されることにより、その範囲内にわたって被搬送物としての各種の資機材（たとえばシステム型枠等の転用機材等）を上下方向に効率的に搬送し得るものである。
【０００３】
なお、図示例の昇降装置は昇降駆動源３として汎用の電動チェーンブロックを用いてそれを本体フレーム１の頂部に設けており、その電動チェーンブロックからチェーン４を介して昇降ステージ２を昇降可能に吊り支持している。
また、本体フレーム１には本体用アウトリガ５が設けられていて、本体フレーム１はその本体用アウトリガ５によって施工済みの躯体に対して安定に支持されて設置され、かつ盛り替えの際には本体用アウトリガ５を伸縮操作することのみで容易に盛り替えが可能とされている。
さらに、昇降ステージ２にはステージ用アウトリガ６が設けられていて、昇降ステージ２に対する被搬送物の積み降ろし作業の際にはステージ用アウトリガ６を伸張させて昇降ステージ２を本体フレーム１あるいはその周囲の躯体に対して支持して安定に仮固定することにより、積み降ろし作業を安全に行い得るようになっている。
【先行技術文献】
【特許文献】
【０００４】
【特許文献１】特開２００１−２１４６１４号公報
【発明の概要】
【発明が解決しようとする課題】
【０００５】
上記従来の昇降装置は全体構成が十分に簡易でありながら各種の資機材を効率的に上下搬送し得るものであり、かつ施工進捗に伴う盛り替えも容易に行い得るので、その点では十分に有効なものではあるが、以下の点で改良の余地があるともされている。
すなわち、たとえば高層ＲＣ造集合住宅の施工に際しての躯体の施工サイクルは１フロア当たり６〜８日程度とされることが通常であるので、そのような工程による場合には上記の昇降装置は図示例のようにその時点の頂部において４階層分程度を稼働範囲とするもので通常は十分である。
しかし、近年においてはさらなる工期短縮が要求されて躯体の施工サイクルを１フロア当たり４〜５日程度という高速施工が必要とされる場合もあり、そのような場合には昇降装置の稼働範囲も従来のように４階層分程度では十分ではなく、その稼働範囲を５〜７階層分程度にまで拡大する必要が生じる。
【０００６】
その場合、上記の昇降装置において稼働範囲を拡大するためには、本体フレーム１の全高を５〜７階層にわたるように大きくし、かつ昇降駆動源３としての電動チェーンブロックの揚程もそれに応じて大きくすることで対応は可能であるが、その場合には昇降装置全体が必然的に大型化、大重量化、複雑化してかなりのコストアップになることが不可避であるばかりでなく、これを設置し盛り替える際の手間も増大し、そのために用いるタワークレーンの稼働率も問題になる。
【０００７】
上記事情に鑑み、本発明は上記従来の昇降装置の基本構成を踏襲してそれに簡易な改良を加えることのみで稼働範囲を支障なく拡大し得る有効適切な昇降装置を提供することを目的とする。
【課題を解決するための手段】
【０００８】
上記目的を達成するため、請求項１記載の発明は、建物の施工に際して各種の資機材を被搬送物として上下方向に搬送するための建設工事用の昇降装置であって、前記建物の複数階にわたる高さを有する本体フレームを施工済みの躯体に対して盛り替え可能に支持して設置するとともに、前記本体フレームの設置階よりも下方の任意の階に前記本体フレームとは独立に盛り替え可能なサブフレームを設置して、該サブフレームと前記本体フレームの上部との間を上下方向の一連の搬送経路として確保し、被搬送物を搭載して前記搬送経路を昇降可能な昇降ステージを前記本体フレームの頂部に設置した昇降駆動源により吊り支持して前記サブフレームと前記本体フレームの上部との間にわたって昇降可能に設置してなることを特徴とする。
【０００９】
請求項２記載の発明は、請求項１記載の建設工事用の昇降装置であって、前記サブフレームと前記昇降ステージとを連結可能に構成するとともに、前記昇降駆動源によって前記昇降ステージを前記サブフレームとともに昇降可能に構成することにより、前記サブフレームを前記昇降駆動源によって盛り替え可能に構成してなることを特徴とする。
【発明の効果】
【００１０】
本発明の昇降装置は、本体フレームの設置階よりも下方の任意の階にサブフレームを本体フレームと独立に盛り替え可能に設置して、そのサブフレームと本体フレームの上部との間を上下方向の一連の搬送経路として確保してその搬送経路内において昇降ステージを昇降させる構成としたことにより、稼働範囲を本体フレームよりも下方のサブフレームの設置階まで拡大することが可能である。
【００１１】
また、昇降ステージをサブフレームに対して連結可能とし、かつ連結した昇降ステージとサブフレームの全体を昇降駆動源によって昇降可能とすることにより、サブフレームの盛り替えを昇降駆動源自体で容易にかつ迅速に行うことが可能である。
【図面の簡単な説明】
【００１２】
【図１】本発明の実施形態である昇降装置の概略構成を示す図である。
【図２】同、昇降ステージをサブフレームに対して連結した状態を示す図である。
【図３】同、サブフレームの盛り替え工程を示す図である。
【図４】従来の昇降装置の概略構成を示す図である。
【発明を実施するための形態】
【００１３】
図１〜図３に本発明の建設工事用の昇降装置の実施形態を示す。これは、図４に示した従来の昇降装置と同様に建物の施工に際して被搬送物としての各種の資機材を上下方向に搬送するためのものであって、従来の昇降装置に対して簡易な改良を加えることでその稼働範囲を４階層分から７階層分にまで拡大したものである。
なお、本実施形態の昇降装置は図４に示した従来の昇降装置の基本構成を踏襲しているので、両者に共通の構成要素には同一符号を付してある。
【００１４】
図１に示す本実施形態の昇降装置は、基本的には図４に示した従来のものと同様に、施工途中の建物内の吹き抜け部に対して盛り替え可能に設置されるもので、全高がこの建物の複数階（図示例ではN-3階〜N階の４階層分）にわたる高さに相当する本体フレーム１内において、各種の資機材を搭載可能な昇降ステージ２を本体フレーム１の頂部に設置した昇降駆動源３としての電動チェーンブロックによって吊り支持して昇降させる形式のものであり、かつ、本体フレーム１を本体用アウトリガ５によって施工済みの躯体により支持して設置するとともに、施工進捗に伴ってこの昇降装置の全体をタワークレーン等の揚重手段（図示せず）によって順次上方に盛り替えていき、昇降ステージ２への被搬送物の積み降ろし作業の際には昇降ステージをステージ用アウトリガ６によって本体フレーム１あるいはその周囲の躯体に対して支持して仮固定するように構成されているものである。
【００１５】
以上の基本構成に加えて、本実施形態の昇降装置では、本体フレーム１の設置階（図示例ではN-3階〜N階の範囲）よりも下方の任意の階（図示例ではN-6階)に、本体フレーム１とは独立に盛り替え可能なサブフレーム１０を設置して、そのサブフレーム１０と本体フレーム１の上部との間（つまりN-6階〜N階）を上下方向の一連の搬送経路として確保したことを主眼とするものである。
【００１６】
すなわち、図４に示した従来の昇降装置では昇降ステージ２を本体フレーム１の全高の範囲内においてのみ昇降可能としているので、その搬送経路は当然に本体フレーム１の設置範囲（図４においてはN-3階〜N階）に限定されるのであるが、本実施形態の昇降装置では昇降ステージ２を本体フレーム１内のみならずその下方階に設置したサブフレーム１０の位置まで昇降可能とし、それにより搬送経路をサブフレーム１０の位置まで下方に拡大したものとなっている。
たとえば図１に示すように本体フレーム１を従来と同様にN-3階〜N階に設置した場合においてサブフレーム１０をN-6階に設置した場合には、図示しているようにサブフレーム１０を設置したＮ-6階において昇降ステージ２に被搬送物を積み込み、そこから昇降ステージ２を所望階（たとえば図示しているようにN-1階）まで上昇させてそこで荷降しすることが可能であるから、この場合の稼働範囲（被搬送物の搬送可能な範囲）はN-6階からN階までの7階層分に拡大されたものとなる。
【００１７】
図２に、本実施形態の昇降装置におけるサブフレーム１０および昇降ステージ２の具体的な構成例を示す。
【００１８】
本実施形態のサブフレーム１０は、被搬送物を搭載した昇降ステージ２の全体を支持可能な強度を有するものであって、溝形鋼等の鋼材を矩形枠状に組み立てることにより本体フレーム１とほぼ同一の水平断面形状の矩形枠状の形態をなすものとされている。
このサブフレーム１０は、本体フレーム１に設けられている本体用アウトリガ５と同様のサブフレーム用アウトリガ１１を備えており、そのサブフレーム用アウトリガ１１によって周囲の躯体に対して支持されることで所望階に盛り替え可能に設置されるものである。
【００１９】
本実施形態の昇降ステージ２は、従来の昇降ステージ２と同様に、被搬送物の落下防止のための手摺り１２と、被搬送物を積み降ろしする際に躯体との間に掛け渡す跳ね上げ式の渡し板１３を備えている。
また、この昇降ステージ２もステージ用アウトリガ６によって本体フレーム１に対して仮固定可能とされているが、本実施形態の昇降ステージ２はそのステージ用アウトリガ６によってサブフレーム１０に対しても連結可能とされ、それにより昇降ステージ２への被搬送物の積み降ろしを安全に行い得るとともに、サブフレーム１０の盛り替え作業を昇降駆動源３としての電動チェーンブロックによって行うことが可能とされている。
【００２０】
すなわち、上記のサブフレーム１０にはステージ用アウトリガ６が係合可能な係合部１４が設けられていて、昇降ステージ２をサブフレーム１０上に配置して被搬送物を積み降ろしする際には図示しているようにステージ用アウトリガ６の先端部をその係合部１４に挿入することによって、昇降ステージ２をサブフレーム１０に対して連結して安定に仮固定し、その状態で被搬送物の積み降ろしを安全に行い得るようになっている。
さらに、本実施形態の昇降装置では、上記のように一体に連結した昇降ステージ２とサブフレーム１０の全体を昇降駆動源３としての電動チェーンブロックにより昇降可能とされていて、サブフレーム１０を盛り替える際にはそれらを連結してその全体を昇降させることでその盛り替えを容易に行い得るようにされている。
【００２１】
たとえば、図３に示すようにN-6階に設置されていたサブフレーム１０をN-4階に盛り替える際には、N-6階に設置されているサブフレーム１０上に昇降ステージ２を配置するとともに、ステージ用アウトリガ６によって昇降ステージ２をサブフレーム１０に連結し、サブフレーム用アウトリガ１１を縮退して昇降駆動源３により昇降ステージ２とそれに連結したサブフレーム１０の全体をN-4階まで上昇させ、サブフレーム用アウトリガ１１を伸張させてN-4階の躯体に対して固定し、ステージ用アウトリガ６を縮退させてサブフレーム１０に対する連結を解けば良い。
【００２２】
以上で説明したように本実施形態の昇降装置は、図４に示した従来の昇降装置をベースとしてそれにサブフレーム１０を付加し、そのサブフレーム１０を本体フレーム１の設置階よりも下方の任意の階に対して本体フレーム１とは独立に盛り替え可能に設置してそのサブフレーム１０と本体フレーム１の上部との間を上下方向の一連の搬送経路として確保し、その搬送経路内において昇降ステージ２を昇降させる構成としたので、稼働範囲を本体フレーム１の下方にまで支障無く拡大することが可能となる。
この場合、サブフレーム１０を単に追加するだけで本体フレーム１は従来と同様のもので良いから、昇降装置全体が大型化、大重量化、複雑化することはない。
【００２３】
しかも、昇降ステージ２をサブフレーム１０に対して連結可能とし、かつ連結した昇降ステージ２とサブフレーム１０の全体を昇降駆動源３によって昇降可能とすることにより、サブフレーム１０の盛り替えを昇降駆動源３自体で行うことが可能であるから、サブフレーム１０を盛り替えるための格別の手段を必要とせず、また格別に面倒な操作も必要とすることなく、サブフレーム１０を容易にかつ迅速に盛り替えることが可能である。
【００２４】
以上で本発明の一実施形態について説明したが、上記実施形態はあくまで好適な一例であって、本発明は上記実施形態に限定されるものでは勿論なく、本発明の要旨を逸脱しない範囲内において、すなわち本体フレームの下方にそれとは独立に盛り替え可能にサブフレームを設置してそれらの間において昇降ステージを昇降させる構成とする限りにおいて、本発明はたとえば以下に列挙するように適宜の設計的変更や応用が可能である。
【００２５】
上記実施形態では昇降ステージ２を昇降させ、かつサブフレーム１０を盛り替えるための昇降駆動源３として電動チェーブロックを採用したが、本発明における昇降駆動源は昇降ステージ２を吊り支持してサブフレーム１０と本体フレーム１の上部との間にわたって昇降させ得るものであれば良く、その限りにおいて電動チェーンブロックに限らず他の適宜の駆動源装置や駆動機構を採用することも可能であるし、可能であればサブフレーム１０の盛り替えを他の手段により行うことも妨げるものではない。
【００２６】
上記実施形態の昇降装置は吹き抜け部に設置するものであることから本体フレーム１を本体用アウトリガ５によって支持して設置するように構成したが、本発明の昇降装置は吹き抜け部に限らず建物の外壁部に設置することも可能であるし、それを設置するための手段もアウトリガに代えて、あるいはアウトリガに加えて、他の手段を採用することも可能である。
【００２７】
上記実施形態では昇降ステージ２をステージ用アウトリガ６によって本体フレーム１に対して仮固定し、かつそのステージ用アウトリガ６によって昇降ステージ２をサブフレーム１０に対しても連結するように構成したが、昇降ステージ２を本体フレーム１ではなくその周囲の躯体に対して直接的に仮固定するようにしても良いし、サブフレーム１０に対して連結するための手段もアウトリガによることなく他の適宜の手段によることでも良い。
【００２８】
勿論、本発明の昇降装置の構成要素である本体フレーム１や昇降ステージ２、昇降駆動源３、サブフレーム１０その他の要素の具体的な構成や形状・寸法、諸元、仕様については、施工対象の建物の構造や規模、施工サイクル、本体フレームおよびサブフレームの盛り替えサイクル等その他の諸条件を考慮して、上記実施形態に限定されることなく最適に設定すれば良い。
【符号の説明】
【００２９】
本体フレーム昇降ステージ昇降駆動源（電動チェーンブロック）チェーン本体用アウトリガステージ用アウトリガサブフレームサブフレーム用アウトリガ手摺り渡し板係合部
【図１】
2014070481.tif 000003
【図２】
2014070481.tif 000004
【図３】
2014070481.tif 000005
【図４】
2014070481.tif 000006